(57)【特許請求の範囲】
【請求項１】
複数の誘電体層が積層されてなる素体と、
前記素体を挟んで互いに対向するように前記素体の外表面に配置された第一入力端子電極及び第一出力端子電極と、
前記素体を挟んで互いに対向するように前記素体の前記外表面に配置された第二入力端子電極及び第二出力端子電極と、
前記素体を貫通するように前記素体内に配置され、前記第一入力端子電極と前記第一出力端子電極とを接続する第一内部導体と、
前記素体を貫通するように前記素体内に配置され、前記第二入力端子電極と前記第二出力端子電極とを接続する第二内部導体と、を備え、
前記第一内部導体は、前記第一入力端子電極に接続される第一引出部と、前記第一出力端子電極に接続される第二引出部と、前記第一引出部と前記第二引出部とを接続する第一接続部と、を有し、
前記第二内部導体は、前記第二入力端子電極に接続される第三引出部と、前記第二出力端子電極に接続される第四引出部と、前記第三引出部と前記第四引出部とを接続する第二接続部と、を有し、
前記第一接続部と前記第二接続部とは、前記第一及び第二内部導体が貫通する方向に延びる第一部分と、前記第一及び第二内部導体が貫通する前記方向と交差する方向に延びる第二部分と、をそれぞれ複数含み、
前記第一内部導体と前記第二内部導体とは、その一部が前記誘電体層の積層方向で重なっており、前記第一内部導体と前記第二内部導体とにおける前記積層方向に重なっている前記一部の面積が、前記第一内部導体と前記第二内部導体とにおける前記積層方向に重なっていない部分の面積よりも小さいことを特徴とする積層型電子部品。
【請求項２】
前記第一接続部と前記第二接続部とは、前記第一部分と前記第二部分とが交互に連続して接続されたミアンダ形状を呈しており、
前記第一内部導体と前記第二内部導体とにおける前記積層方向に重なっている前記一部として、前記第一接続部の前記第一部分と前記第二接続部の前記第一部分とが前記積層方向で重なっていることを特徴とする請求項１に記載の積層型電子部品。
【請求項３】
前記第一内部導体と前記第二内部導体とは、それぞれ一つずつであることを特徴とする請求項１又は２に記載の積層型電子部品。
【請求項４】
前記第一内部導体と前記第二内部導体とは、前記第一内部導体と前記第二内部導体とにおける前記積層方向に重なっている前記一部として、複数の部分で前記積層方向に重なっていることを特徴とする請求項１に記載の積層型電子部品。
【請求項５】
前記第一接続部と前記第二接続部とにおいて、それぞれ複数の前記第一部分と前記第二部分とは交互に連続して接続されており、
前記第一接続部における複数の前記第一部分と前記第二接続部における複数の前記第一部分とが前記積層方向で重なっていることを特徴とする請求項４に記載の積層型電子部品。
【請求項６】
前記素体を挟んで互いに対向するように前記素体の前記外表面に配置された第三入力端子電極及び第三出力端子電極と、
前記素体を挟んで互いに対向するように前記素体の前記外表面に配置された第四入力端子電極及び第四出力端子電極と、
前記素体を貫通するように前記素体内に配置され、前記第三入力端子電極と前記第三出力端子電極とを接続する第三内部導体と、
前記素体を貫通するように前記素体内に配置され、前記第四入力端子電極と前記第四出力端子電極とを接続する第四内部導体と、を更に備え、
前記第三内部導体は、前記第三入力端子電極に接続される第五引出部と、前記第三出力端子電極に接続される第六引出部と、前記第五引出部と前記第六引出部とを接続する第三接続部と、を有し、
前記第四内部導体は、前記第四入力端子電極に接続される第七引出部と、前記第四出力端子電極に接続される第八引出部と、前記第七引出部と前記第八引出部とを接続する第四接続部と、を有し、
前記第三接続部と前記第四接続部とは、前記第三及び第四内部導体が貫通する方向に延びる第三部分と、前記第三及び第四内部導体が貫通する前記方向と交差する方向に延びる第四部分と、をそれぞれ複数含み、
前記第三内部導体と前記第四内部導体とは、その一部が前記誘電体層の積層方向で重なっており、前記第三内部導体と前記第四内部導体とにおける前記積層方向に重なっている前記一部の面積が、前記第三内部導体と前記第四内部導体とにおける前記積層方向に重なっていない部分の面積よりも小さいことを特徴とする請求項１〜５のいずれか一項に記載の積層型電子部品。
【請求項７】
前記第三内部導体と前記第四内部導体とは、前記第三内部導体と前記第四内部導体とにおける前記積層方向に重なっている前記一部として、複数の部分で前記積層方向に重なっていることを特徴とする請求項６に記載の積層型電子部品。
【請求項８】
前記第三接続部と前記第四接続部とにおいて、それぞれ複数の前記第三部分と前記第四部分とは交互に連続して接続されており、
前記第三接続部における複数の前記第三部分と前記第四接続部における複数の前記第三部分とが前記積層方向で重なっていることを特徴とする請求項７に記載の積層型電子部品。
【発明の詳細な説明】
【技術分野】
【０００１】
本発明は、積層型電子部品に関する。
【背景技術】
【０００２】
コモンモードノイズを除去する積層型電子部品として、積層型のコモンモードチョークコイルが知られている（たとえば、特許文献１参照）。特許文献１に記載されているコモンモードチョークコイルは、コイル導体が設けられた２枚の基板シートを、各コイル導体が平行で近接した状態となるように積層した積層体と、コイル導体の両端部に接続され且つ積層体の表面に設けられた外部電極と、を備えている。
【先行技術文献】
【特許文献】
【０００３】
【特許文献１】特開平４−０１１７０９号公報
【発明の概要】
【発明が解決しようとする課題】
【０００４】
しかしながら、特許文献１に記載されたコモンモードチョークコイルは、以下のような問題点を有している。コイル導体が設けられる基板シートがフェライトグリーンシートである。このため、フェライトグリーンシートの形成に高価な磁性材料（フェライト材料）を用いる必要があり、コモンモードチョークコイルの高コスト化を招いてしまう。また、コモンモードチョークコイルは、一般に、ディファレンシャルモードノイズに対するインピーダンスが小さく、ディファレンシャルモードノイズに対する減衰特性が悪い。
【０００５】
本発明は、コモンモードノイズの抑制効果を確保しつつ、ディファレンシャルモードノイズに対する減衰特性の向上と低コスト化とを図ることが可能な積層型電子部品を提供することを目的とする。
【課題を解決するための手段】
【０００６】
本発明に係る積層型電子部品は、複数の誘電体層が積層されてなる素体と、素体を挟んで互いに対向するように素体の外表面に配置された第一入力端子電極及び第一出力端子電極と、素体を挟んで互いに対向するように素体の外表面に配置された第二入力端子電極及び第二出力端子電極と、素体を貫通するように素体内に配置され、第一入力端子電極と第一出力端子電極とを接続する第一内部導体と、素体を貫通するように素体内に配置され、第二入力端子電極と第二出力端子電極とを接続する第二内部導体と、を備え、第一内部導体は、第一入力端子電極に接続される第一引出部と、第一出力端子電極に接続される第二引出部と、第一引出部と第二引出部とを接続する第一接続部と、を有し、第二内部導体は、第二入力端子電極に接続される第三引出部と、第二出力端子電極に接続される第四引出部と、第三引出部と第四引出部とを接続する第二接続部と、を有し、第一接続部と第二接続部とは、第一及び第二内部導体が貫通する方向に延びる第一部分と、第一及び第二内部導体が貫通する方向と交差する方向に延びる第二部分と、をそれぞれ複数含み、第一内部導体と第二内部導体とは、その一部が誘電体層の積層方向で重なっており、第一内部導体と第二内部導体とにおける積層方向に重なっている上記一部の面積が、第一内部導体と第二内部導体とにおける積層方向に重なっていない部分の面積よりも小さいことを特徴とする。
【０００７】
本発明に係る積層型電子部品では、素体が複数の誘電体層からなる。すなわち、素体が、高価な磁性材料ではなく、磁性材料よりも安価な誘電体材料からなるため、積層型電子部品の低コスト化を図ることができる。
【０００８】
ところで、素体が誘電体材料からなる積層型電子部品は、素体が磁性材料からなる積層型電子部品に比して、磁気的な特性に劣り、コモンモードノイズに対するインピーダンスが小さくなる。本発明では、第一接続部と第二接続部とが、第一部分と第二部分とをそれぞれ複数含んでいるため、第一及び第二内部導体の各インダクタンスが比較的大きい。また、第一内部導体と第二内部導体との一部同士が誘電体層の積層方向で重なっているため、第一内部導体と第二内部導体とにおける積層方向に重なっている一部により、比較的小さい静電容量を有する容量成分が構成される。第一及び第二内部導体の比較的大きいインダクタンスと、第一及び第二内部導体の上記一部により形成される容量成分の比較的小さい静電容量と、により、コモンモードノイズに対するインピーダンスが小さくなるのが抑制される。この結果、コモンモードノイズの抑制効果を確保できる。
【０００９】
本発明では、第一内部導体と第二内部導体とにおける積層方向に重なっている一部の面積が、第一内部導体と第二内部導体とにおける積層方向に重なっていない部分の面積よりも小さい。このため、第一及び第二内部導体の上記一部により形成される容量成分の静電容量がより一層小さく、ディファレンシャルモードノイズに対する減衰特性が向上する。第一及び第二内部導体の上記一部により形成される容量成分の静電容量は、比較的小さいため、積層型電子部品を通る信号の劣化は生じ難い。
【００１０】
第一接続部と第二接続部とは、第一部分と第二部分とが交互に連続して接続されたミアンダ形状を呈しており、第一内部導体と第二内部導体とにおける積層方向に重なっている一部として、第一接続部の第一部分と第二接続部の第一部分とが積層方向で重なっていてもよい。この場合、第一及び第二内部導体の各インダクタンスがより一層大きくなり、第一及び第二内部導体の上記一部により形成される容量成分の静電容量がより一層小さくなる。これにより、コモンモードノイズの抑制効果を確実に確保できると共に、ディファレンシャルモードノイズに対する減衰特性がより一層向上する。
【００１１】
第一内部導体と第二内部導体とは、それぞれ一つずつであってもよい。この場合、第一及び第二内部導体の上記一部により形成される容量成分の比較的小さい静電容量が確実に確保され、コモンモードノイズの抑制効果を確実に確保できると共に、ディファレンシャルモードノイズに対する減衰特性がより一層向上する。
【００１２】
素体を挟んで互いに対向するように素体の外表面に配置された第三入力端子電極及び第三出力端子電極と、素体を挟んで互いに対向するように素体の外表面に配置された第四入力端子電極及び第四出力端子電極と、素体を貫通するように素体内に配置され、第三入力端子電極と第三出力端子電極とを接続する第三内部導体と、素体を貫通するように素体内に配置され、第四入力端子電極と第四出力端子電極とを接続する第四内部導体と、を更に備え、第三内部導体は、第三入力端子電極に接続される第五引出部と、第三出力端子電極に接続される第六引出部と、第五引出部と第六引出部とを接続する第三接続部と、を有し、第四内部導体は、第四入力端子電極に接続される第七引出部と、第四出力端子電極に接続される第八引出部と、第七引出部と第八引出部とを接続する第四接続部と、を有し、第三接続部と第四接続部とは、第三及び第四内部導体が貫通する方向に延びる第三部分と、第三及び第四内部導体が貫通する方向と交差する方向に延びる第四部分と、をそれぞれ複数含み、第三内部導体と第四内部導体とは、その一部が誘電体層の積層方向で重なっており、第三内部導体と第四内部導体とにおける積層方向に重なっている上記一部の面積が、第三内部導体と前記第四内部導体とにおける積層方向に重なっていない部分の面積よりも小さくてもよい。この場合、いわゆるアレイ品とされた積層型電子部品を得ることができる。
【００１３】
第三接続部と第四接続部とが、第三部分と第四部分とをそれぞれ複数含んでいるため、第三及び第四内部導体の各インダクタンスが比較的大きい。第三内部導体と第四内部導体との一部同士が誘電体層の積層方向で重なっているため、第三内部導体と第四内部導体とにおける積層方向に重なっている一部により、比較的小さい静電容量を有する容量成分が構成される。第三及び第四内部導体の比較的大きいインダクタンスと、第三及び第四内部導体の上記一部により形成される容量成分の比較的小さい静電容量と、により、コモンモードノイズに対するインピーダンスが小さくなるのが抑制される。この結果、コモンモードノイズの抑制効果を確保できる。
【００１４】
第三内部導体と第四内部導体とにおける積層方向に重なっている一部の面積は、第三内部導体と第四内部導体とにおける積層方向に重なっていない部分の面積よりも小さい。このため、第三及び第四内部導体の上記一部により形成される容量成分の静電容量がより一層小さく、ディファレンシャルモードノイズに対する減衰特性が向上する。第三及び第四内部導体の上記一部により形成される容量成分の静電容量は、比較的小さいため、積層型電子部品を通る信号の劣化は生じ難い。
【発明の効果】
【００１５】
本発明によれば、コモンモードノイズの抑制効果を確保しつつ、ディファレンシャルモードに対する減衰特性の向上と低コスト化とを図ることが可能な積層型電子部品を提供することができる。
【図面の簡単な説明】
【００１６】
【図１】本実施形態に係る積層型電子部品を示す斜視図である。
【図２】素体及び第一〜第四内部導体の構成を示す分解斜視図である。
【図３】第一〜第四内部導体を示す平面図である。
【図４】第一〜第四内部導体の変形例を示す平面図である。
【図５】比較例１の積層型電子部品が備える第一〜第四内部導体を示す平面図である。
【図６】実施例１と比較例１とにおけるコモンモードノイズに対する減衰特性を示す線図である。
【図７】実施例１と比較例１とにおけるディファレンシャルモードノイズに対する減衰特性を示す線図である。
【発明を実施するための形態】
【００１７】
以下、添付図面を参照して、本発明の好適な実施形態について詳細に説明する。なお、説明において、同一要素又は同一機能を有する要素には、同一符号を用いることとし、重複する説明は省略する。
【００１８】
図１〜図３を参照して、本実施形態に係る積層型電子部品１の構成を説明する。図１は、本実施形態に係る積層型電子部品を示す斜視図である。図２は、素体及び第一〜第四内部導体の構成を示す分解斜視図である。図３は、第一〜第四内部導体を示す平面図である。
【００１９】
積層型電子部品１は、素体２と、素体２の外表面に配置される第一〜第四入力端子電極３ａ〜３ｄと、素体２の外表面に配置される第一〜第四出力端子電極４ａ〜４ｄと、を備えている。
【００２０】
素体２は、図１に示されるように、直方体形状を呈しており、その外表面として、互いに対向する長方形状の第一及び第二主面２ａ，２ｂと、互いに対向する第一及び第二側面２ｃ，２ｄと、互いに対向する第三及び第四側面２ｅ，２ｆと、を有している。第一及び第二側面２ｃ，２ｄは、第一及び第二主面２ａ，２ｂの間を連結するように第一及び第二主面２ａ，２ｂの短辺方向に伸びている。第三及び第四側面２ｅ，２ｆは、第一及び第二主面２ａ，２ｂ間を連結するように第一及び第二主面２ａ，２ｂの長辺方向に伸びている。
【００２１】
素体２は、図２にも示されるように、第一及び第二主面２ａ，２ｂの対向方向に複数の誘電体層７が積層されて構成されている。素体２では、誘電体層７の積層方向が第一及び第二主面２ａ，２ｂの対向方向と一致する。各誘電体層７は、例えば誘電体材料（ＢａＴｉＯ３系、Ｂａ(Ｔｉ，Ｚｒ)Ｏ３系、又は（Ｂａ，Ｃａ）ＴｉＯ３系などの誘電体セラミック）を含むセラミックグリーンシートの焼結体から構成される。実際の素体２では、各誘電体層７の間の境界が視認できない程度に一体化されている。
【００２２】
第一〜第四入力端子電極３ａ〜３ｄは、素体２の第三側面２ｅに配置されている。第一〜第四入力端子電極３ａ〜３ｄそれぞれは、第三側面２ｅの一部を第一及び第二主面２ａ，２ｂの対向方向に沿って覆うように、第一及び第二主面２ａ，２ｂにわたって形成されている。第一〜第四入力端子電極３ａ〜３ｄは、素体２の第三側面２ｅにおいて、第一側面２ｃから第二側面２ｄに向かう方向で、第一入力端子電極３ａ、第二入力端子電極３ｂ、第三入力端子電極３ｃ、第四入力端子電極３ｄの順で配置されている。
【００２３】
第一〜第四出力端子電極４ａ〜４ｄは、素体２の第四側面２ｆに配置されている。第一〜第四出力端子電極４ａ〜４ｄそれぞれは、第四側面２ｆの一部を第一及び第二主面２ａ，２ｂの対向方向に沿って覆うように、第一及び第二主面２ａ，２ｂにわたって形成されている。第一〜第四出力端子電極４ａ〜４ｄは、素体２の第四側面２ｆにおいて、第一側面２ｃから第二側面２ｄに向かう方向で、第一出力端子電極４ａ、第二出力端子電極４ｂ、第三出力端子電極４ｃ、第四出力端子電極４ｄの順で配置されている。
【００２４】
第一入力端子電極３ａと第一出力端子電極４ａとは、素体２を挟んで互いに対向して配置されている。本実施形態では、第一入力端子電極３ａと第一出力端子電極４ａとは、第三及び第四側面２ｅ，２ｆの対向方向で互いに対向して配置されている。第二入力端子電極３ｂと第二出力端子電極４ｂとは、素体２を挟んで互いに対向して配置されている。本実施形態では、第二入力端子電極３ｂと第二出力端子電極４ｂとは、第三及び第四側面２ｅ，２ｆの対向方向で互いに対向して配置されている。第三及び第四側面２ｅ，２ｆの対向方向で、第一入力端子電極３ａと第二出力端子電極４ｂとが互いに対向すると共に第二入力端子電極３ｂと第一出力端子電極４ａとが互いに対向していてもよい。
【００２５】
第三入力端子電極３ｃと第三出力端子電極４ｃとは、素体２を挟んで互いに対向して配置されている。本実施形態では、第三入力端子電極３ｃと第三出力端子電極４ｃとは、第三及び第四側面２ｅ，２ｆの対向方向で互いに対向して配置されている。第四入力端子電極３ｄと第四出力端子電極４ｄとは、素体２を挟んで互いに対向して配置されている。本実施形態では、第四入力端子電極３ｄと第四出力端子電極４ｄとは、第三及び第四側面２ｅ，２ｆの対向方向で互いに対向して配置されている。第三及び第四側面２ｅ，２ｆの対向方向で、第三入力端子電極３ｃと第四出力端子電極４ｄとが互いに対向すると共に第四入力端子電極３ｄと第三出力端子電極４ｃとが互いに対向していてもよい。
【００２６】
本実施形態では、第一入力端子電極３ａと第一出力端子電極４ａとからなる端子電極対と、第二入力端子電極３ｂと第二出力端子電極４ｂとからなる端子電極対と、第三入力端子電極３ｃと第三出力端子電極４ｃとからなる端子電極対と、第四入力端子電極３ｄと第四出力端子電極４ｄとからなる端子電極対とが、素体２の長手方向に沿って併置されている。
【００２７】
第一〜第四入力端子電極３ａ〜３ｄと第一〜第四出力端子電極４ａ〜４ｄとは、たとえば導電性金属粉末及びガラスフリットを含む導電性ペーストを素体２の外表面に付与し、焼き付けることによって形成される。必要に応じて、焼き付けられた端子電極の上にめっき層が形成されることもある。各入力端子電極３ａ〜３ｄ及び各出力端子電極４ａ〜４ｄは、素体２の外表面上において互いに電気的に絶縁されている。
【００２８】
積層型電子部品１は、図２及び図３に示されるように、第一内部導体１０、第二内部導体２０、第三内部導体３０、及び第四内部導体４０をそれぞれ１つずつ備えている。積層型電子部品１は、図１にも示されるように、第一素子部分１ａと第二素子部分１ｂとを含むアレイ品である。第一素子部分１ａは、第一及び第二入力端子電極３ａ，３ｂ、第一及び第二出力端子電極４ａ，４ｂ、並びに、第一及び第二内部導体１０，２０を備えている。第二素子部分１ｂは、第三及び第四入力端子電極３ｃ，３ｄ、第三及び第四出力端子電極４ｃ，４ｄ、並びに、第三及び第四内部導体３０，４０を備えている。
【００２９】
第一〜第四内部導体１０，２０，３０，４０は、素体２内に配置されている。第一〜第四内部導体１０，２０，３０，４０は、第三側面２ｅから第四側面２ｆに向けて素体２内を貫通している。第一〜第四内部導体１０，２０，３０，４０は、積層型の電気素子の内部電極として通常用いられる導電性材料からなる。内部電極は、上記導電性材料を含む導電性ペーストの焼結体として構成される。
【００３０】
第一内部導体１０は、図３の（ａ）に示されるように、第一引出部１１、第二引出部１２、及び第一接続部１３を有している。第一引出部１１は、その一端が第三側面２ｅに露出し、当該一端から第三及び第四側面２ｅ，２ｆの対向方向に延びるように形成されている。第一引出部１１は、第三側面２ｅに露出している一端で第一入力端子電極３ａに接続されている。第二引出部１２は、その一端が第四側面２ｆに露出し、当該一端から第三及び第四側面２ｅ，２ｆの対向方向に延びるように形成されている。第二引出部１２は、第四側面２ｆに露出している一端で第一出力端子電極４ａに接続されている。第一接続部１３は、一端が第一引出部１１の他端に接続され、他端が第二引出部１２の他端に接続されている。すなわち、第一接続部１３は、第一引出部１１と第二引出部１２を接続している。
【００３１】
第一接続部１３は、第一部分１３ａと第二部分１３ｂとをそれぞれ複数含んでいる。本実施形態では、第一接続部１３が、３つの第一部分１３ａと４つの第二部分１３ｂとを含んでいる。第一部分１３ａは、第三側面２ｅから第四側面２ｆに向かう方向に延びている。すなわち、第一部分１３ａは、第一内部導体１０が素体２内を貫通する方向に延びている。第二部分１３ｂは、第一部分１３ａが延びる方向と交差する方向、すなわち第一内部導体１０が素体２内を貫通する方向と交差する方向に延びている。第一引出部１１と第二引出部１２と第一接続部１３（第一部分１３ａ及び第二部分１３ｂ）とは、それぞれが一体的に形成されている。本実施形態では、第二部分１３ｂは、第一側面２ｃから第二側面２ｄに向かう方向に延びており、第一部分１３ａと略直交する方向に延びている。本実施形態では、第一内部導体１０は、第一部分１３ａと第二部分１３ｂとが交互に連続することにより、ミアンダ形状を呈している。
【００３２】
第一入力端子電極３ａは、第一引出部１１の第三側面２ｅに露出した一端を覆うように形成されており、第一引出部１１は、第一入力端子電極３ａに物理的且つ電気的に接続される。第一出力端子電極４ａは、第二引出部１２の第四側面２ｆに露出した一端を覆うように形成されており、第二引出部１２は、第一出力端子電極４ａに物理的且つ電気的に接続される。これにより、第一内部導体１０は、第一入力端子電極３ａと第一出力端子電極４ａとに接続されることとなる。
【００３３】
第二内部導体２０は、図３の（ｂ）に示されるように、第三引出部２１、第四引出部２２、及び第二接続部２３を有している。第三引出部２１は、その一端が第三側面２ｅに露出し、当該一端から第三及び第四側面２ｅ，２ｆの対向方向に延びるように形成されている。第三引出部２１は、第三側面２ｅに露出している一端で第二入力端子電極３ｂに接続されている。第四引出部２２は、その一端が第四側面２ｆに露出し、当該一端から第三及び第四側面２ｅ，２ｆの対向方向に延びるように形成されている。第四引出部２２は、第四側面２ｆに露出している一端で第二出力端子電極４ｂに接続されている。第二接続部２３は、一端が第三引出部２１の他端に接続され、他端が第四引出部２２の他端に接続されている。すなわち、第二接続部２３は、第三引出部２１と第四引出部２２を接続している。
【００３４】
第二接続部２３は、第一部分２３ａと第二部分２３ｂとをそれぞれ複数含んでいる。本実施形態では、第二接続部２３が、３つの第一部分２３ａと４つの第二部分２３ｂとを含んでいる。第一部分２３ａは、第三側面２ｅから第四側面２ｆに向かう方向に延びている。すなわち、第一部分２３ａは、第二内部導体２０が素体２内を貫通する方向に延びている。第二部分２３ｂは、第一部分２３ａが延びる方向と交差する方向、すなわち第二内部導体２０が素体２内を貫通する方向と交差する方向に延びている。第三引出部２１と第四引出部２２と第二接続部２３（第一部分２３ａ及び第二部分２３ｂ）とは、それぞれが一体的に形成されている。本実施形態では、第二部分２３ｂは、第一側面２ｃから第二側面２ｄに向かう方向に延びており、第一部分２３ａと略直交する方向に延びている。本実施形態では、第二内部導体２０は、第一部分２３ａと第二部分２３ｂとが交互に連続することにより、ミアンダ形状を呈している。
【００３５】
第二入力端子電極３ｂは、第三引出部２１の第三側面２ｅに露出した一端を覆うように形成されており、第三引出部２１は、第二入力端子電極３ｂに物理的且つ電気的に接続される。第二出力端子電極４ｂは、第四引出部２２の第四側面２ｆに露出した一端を覆うように形成されており、第四引出部２２は、第二出力端子電極４ｂに物理的且つ電気的に接続される。これにより、第二内部導体２０は、第二入力端子電極３ｂと第二出力端子電極４ｂとに接続されることとなる。
【００３６】
第一内部導体１０と第二内部導体２０とは、第一及び第二主面２ａ，２ｂの対向方向において異なる位置（異なる層）に配置されている。すなわち、第一内部導体１０と第二内部導体２０とは、素体２内において、第一及び第二主面２ａ，２ｂの対向方向に間隔を有して配置されている。第一内部導体１０と第二内部導体２０とは、その一部のみが第一及び第二主面２ａ，２ｂの対向方向（誘電体層７の積層方向）で重なっている。本実施形態では、第一接続部１３の２つの第一部分１３ａと第二接続部２３の２つの第一部分２３ａとが、誘電体層７の積層方向で重なっている。第一接続部１３の２つの第一部分１３ａと第二接続部２３の２つの第一部分２３ａとが、少なくとも一層の誘電体層７を挟んで、第一及び第二主面２ａ，２ｂの対向方向に対向している。図３では、説明のため、誘電体層７の積層方向で重なる２つの各第一部分１３ａ，２３ａにハッチングが付されている。
【００３７】
第一内部導体１０と第二内部導体２０とは、その一部（２つの各第一部分１３ａ，２３ａ）のみが誘電体層７の積層方向で重なっている。このため、第一内部導体１０と第二内部導体２０とにおける誘電体層７の積層方向に重なっている一部（２つの各第一部分１３ａ，２３ａ）により、容量成分が構成される。第一内部導体１０と第二内部導体２０とは、素体２内において磁気的に結合する。
【００３８】
第一及び第二主面２ａ，２ｂの対向方向から見て、第一内部導体１０と第二内部導体２０とにおける上記対向方向に重なっている一部、すなわち２つの各第一部分１３ａ，２３ａの合計面積は、第一内部導体１０と第二内部導体２０とにおける積層方向に重なっていない部分の合計面積よりも小さく設定されている。すなわち、第一内部導体１０では、２つの第一部分１３ａの合計面積が、第一引出部１１と第二引出部１２と第二部分１３ｂと１つの第一部分１３ａとの合計面積よりも小さく設定されている。第二内部導体２０では、２つの第一部分２３ａの合計面積が、第三引出部２１と第四引出部２２と第二部分２３ｂと１つの第一部分２３ａとの合計面積よりも小さく設定されている。
【００３９】
第三内部導体３０は、図３の（ａ）に示されるように、第五引出部３１、第六引出部３２、及び第三接続部３３を有している。第五引出部３１は、その一端が第三側面２ｅに露出し、当該一端から第三及び第四側面２ｅ，２ｆの対向方向に延びるように形成されている。第五引出部３１は、第三側面２ｅに露出している一端で第三入力端子電極３ｃに接続されている。第六引出部３２は、その一端が第四側面２ｆに露出し、当該一端から第三及び第四側面２ｅ，２ｆの対向方向に延びるように形成されている。第六引出部３２は、第四側面２ｆに露出している一端で第三出力端子電極４ｃに接続されている。第三接続部３３は、一端が第五引出部３１の他端に接続され、他端が第六引出部３２の他端に接続されている。すなわち、第三接続部３３は、第五引出部３１と第六引出部３２を接続している。
【００４０】
第三接続部３３は、第三部分３３ａと第四部分３３ｂとをそれぞれ複数含んでいる。本実施形態では、第三接続部３３が、３つの第三部分３３ａと４つの第四部分３３ｂとを含んでいる。第三部分３３ａは、第三側面２ｅから第四側面２ｆに向かう方向に延びている。すなわち、第三部分３３ａは、第三内部導体３０が素体２内を貫通する方向に延びている。第四部分３３ｂは、第三部分３３ａが延びる方向と交差する方向、すなわち第三内部導体３０が素体２内を貫通する方向と交差する方向に延びている。第五引出部３１と第六引出部３２と第三接続部３３（第三部分３３ａ及び第四部分３３ｂ）とは、それぞれが一体的に形成されている。本実施形態では、第四部分３３ｂは、第一側面２ｃから第二側面２ｄに向かう方向に延びており、第三部分３３ａと略直交する方向に延びている。本実施形態では、第三内部導体３０は、第三部分３３ａと第四部分３３ｂとが交互に連続することにより、ミアンダ形状を呈している。
【００４１】
第三入力端子電極３ｃは、第五引出部３１の第三側面２ｅに露出した一端を覆うように形成されており、第五引出部３１は、第三入力端子電極３ｃに物理的且つ電気的に接続される。第三出力端子電極４ｃは、第六引出部３２の第四側面２ｆに露出した一端を覆うように形成されており、第六引出部３２は、第三出力端子電極４ｃに物理的且つ電気的に接続される。これにより、第三内部導体３０は、第三入力端子電極３ｃと第三出力端子電極４ｃとに接続されることとなる。
【００４２】
第四内部導体４０は、図３の（ｂ）に示されるように、第七引出部４１、第八引出部４２、及び第四接続部４３を有している。第七引出部４１は、その一端が第三側面２ｅに露出し、当該一端から第三及び第四側面２ｅ，２ｆの対向方向に延びるように形成されている。第七引出部４１は、第三側面２ｅに露出している一端で第四入力端子電極３ｄに接続されている。第八引出部４２は、その一端が第四側面２ｆに露出し、当該一端から第三及び第四側面２ｅ，２ｆの対向方向に延びるように形成されている。第八引出部４２は、第四側面２ｆに露出している一端で第四出力端子電極４ｄに接続されている。第四接続部４３は、一端が第七引出部４１の他端に接続され、他端が第八引出部４２の他端に接続されている。すなわち、第四接続部４３は、第七引出部４１と第八引出部４２を接続している。
【００４３】
第四接続部４３は、第三部分４３ａと第四部分４３ｂとをそれぞれ複数含んでいる。本実施形態では、第四接続部４３が、３つの第三部分４３ａと４つの第四部分４３ｂとを含んでいる。第三部分４３ａは、第三側面２ｅから第四側面２ｆに向かう方向に延びている。すなわち、第三部分４３ａは、第四内部導体４０が素体２内を貫通する方向に延びている。第四部分４３ｂは、第三部分４３ａが延びる方向と交差する方向、すなわち第四内部導体４０が素体２内を貫通する方向と交差する方向に延びている。第七引出部４１と第八引出部４２と第四接続部４３（第三部分４３ａ及び第四部分４３ｂ）とは、それぞれが一体的に形成されている。本実施形態では、第四部分４３ｂは、第一側面２ｃから第二側面２ｄに向かう方向に延びており、第三部分４３ａと略直交する方向に延びている。本実施形態では、第四内部導体４０は、第三部分４３ａと第四部分４３ｂとが交互に連続することにより、ミアンダ形状を呈している。
【００４４】
第四入力端子電極３ｄは、第七引出部４１の第三側面２ｅに露出した一端を覆うように形成されており、第七引出部４１は、第四入力端子電極３ｄに物理的且つ電気的に接続される。第四出力端子電極４ｄは、第八引出部４２の第四側面２ｆに露出した一端を覆うように形成されており、第八引出部４２は、第四出力端子電極４ｄに物理的且つ電気的に接続される。これにより、第四内部導体４０は、第四入力端子電極３ｄと第四出力端子電極４ｄとに接続されることとなる。
【００４５】
第三内部導体３０と第四内部導体４０とは、第一及び第二主面２ａ，２ｂの対向方向において異なる位置（異なる層）に配置されている。すなわち、第三内部導体３０と第四内部導体４０とは、素体２内において、第一及び第二主面２ａ，２ｂの対向方向に間隔を有して配置されている。第三内部導体３０と第四内部導体４０とは、その一部のみが第一及び第二主面２ａ，２ｂの対向方向（誘電体層７の積層方向）で重なっている。本実施形態では、第三接続部３３の２つの第三部分３３ａと第四接続部４３の２つの第三部分４３ａとが、誘電体層７の積層方向で重なっている。第三接続部３３の２つの第三部分３３ａと第四接続部４３の２つの第三部分４３ａとが、少なくとも一層の誘電体層７を挟んで、第一及び第二主面２ａ，２ｂの対向方向に対向している。図３では、説明のため、誘電体層７の積層方向で重なる２つの各第三部分３３ａ，４３ａにハッチングが付されている。
【００４６】
第三内部導体３０と第四内部導体４０とは、その一部（２つの各第三部分３３ａ，４３ａ）のみが誘電体層７の積層方向で重なっている。このため、第三内部導体３０と第四内部導体４０とにおける誘電体層７の積層方向に重なっている一部（２つの各第三部分３３ａ，４３ａ）により、容量成分が構成される。第三内部導体３０と第四内部導体４０とは、素体２内において磁気的に結合する。
【００４７】
第一及び第二主面２ａ，２ｂの対向方向から見て、第三内部導体３０と第四内部導体４０とにおける上記対向方向に重なっている一部、すなわち２つの各第三部分３３ａ，４３ａの合計面積は、第三内部導体３０と第四内部導体４０とにおける積層方向に重なっていない部分の合計面積よりも小さく設定されている。すなわち、第三内部導体３０では、２つの第三部分３３ａの面積が、第五引出部３１と第六引出部３２と第四部分３３ｂと１つの第三部分３３ａの合計面積よりも小さく設定されている。第四内部導体４０では、２つの第三部分４３ａの合計面積が、第七引出部４１と第八引出部４２と第四部分４３ｂと１つの第三部分４３ａとの合計面積よりも小さく設定されている。
【００４８】
本実施形態では、第一内部導体１０と第三内部導体３０とは、第一及び第二主面２ａ，２ｂの対向方向において同じ位置（同じ層）に配置されている。第二内部導体２０と第四内部導体４０とは、第一及び第二主面２ａ，２ｂの対向方向において同じ位置（同じ層）に配置されている。第一〜第四内部導体１０，２０，３０，４０は、第一及び第二主面２ａ，２ｂの対向方向において異なる位置に配置されていてもよい。第一内部導体１０と第四内部導体４０とが、第一及び第二主面２ａ，２ｂの対向方向において同じ位置に配置されていると共に、第二内部導体２０と第三内部導体３０とが、第一及び第二主面２ａ，２ｂの対向方向において同じ位置に配置されていてもよい。
【００４９】
以上のように、本実施形態では、素体２が複数の誘電体層７からなる。素体２が、高価な磁性材料ではなく、磁性材料よりも安価な誘電体材料からなるため、積層型電子部品１の低コスト化を図ることができる。
【００５０】
ところで、素体２が誘電体材料からなる積層型電子部品１は、素体２が磁性材料からなる積層型電子部品に比して、磁気的な特性に劣り、コモンモードノイズに対するインピーダンスが小さくなる。これに対して、積層型電子部品１では、以下の事由により、コモンモードノイズに対するインピーダンスが小さくなるのが抑制される。
【００５１】
積層型電子部品１の第一素子部分１ａでは、第一接続部１３と第二接続部２３とが、第一部分１３ａ，２３ａと第二部分１３ｂ，２３ｂとをそれぞれ複数含んでいるため、第一及び第二内部導体１０，２０の各インダクタンスが比較的大きい。また、積層型電子部品１の第一素子部分１ａでは、第一内部導体１０と第二内部導体２０とは、２つの各第一部分１３ａ，２３ａのみが誘電体層７の積層方向で重なっているため、２つの各第一部分１３ａ，２３ａにより形成される容量成分の静電容量は比較的小さい。したがって、第一及び第二内部導体１０，２０の比較的大きいインダクタンスと、第一及び第二内部導体１０，２０の２つの各第一部分１３ａ，２３ａにより形成される比較的小さい容量成分と、により、コモンモードノイズに対するインピーダンスが小さくなるのが抑制される。
【００５２】
第二素子部分１ｂでも、第三接続部３３と第四接続部４３とが、第三部分３３ａ，４３ａと第四部分３３ｂ，４３ｂとをそれぞれ複数含んでいるため、第一及び第二内部導体１０，２０と同様に、第三及び第四内部導体３０，４０の各インダクタンスが比較的大きい。また、第二素子部分１ｂでも、第三内部導体３０と第四内部導体４０とは、２つの各第三部分３３ａ，４３ａのみが誘電体層７の積層方向で重なっているため、２つの各第三部分３３ａ，４３ａにより形成される容量成分の静電容量は比較的小さい。したがって、第三及び第四内部導体３０，４０の比較的大きいインダクタンスと、第三及び第四内部導体３０，４０の２つの各第三部分３３ａ，４３ａにより形成される比較的小さい容量成分と、により、コモンモードノイズに対するインピーダンスが小さくなるのが抑制される。
【００５３】
これらの結果、積層型電子部品１では、各素子部分１ａ，１ｂにおいて、コモンモードノイズの抑制効果を確保できる。
【００５４】
第一素子部分１ａでは、誘電体層７の積層方向から見て、２つの各第一部分１３ａ，２３ａの合計面積は、第一及び第二内部導体１０，２０における２つの各第一部分１３ａ，２３ａ以外の部分の合計面積よりも小さく設定されている。このため、第一及び第二内部導体１０，２０の２つの各第一部分１３ａ，２３ａにより形成される容量成分の静電容量がより一層小さく、ディファレンシャルモードノイズに対する減衰特性が向上する。第二素子部分１ｂでも、誘電体層７の積層方向から見て、２つの各第三部分３３ａ，４３ａの合計面積は、第三及び第四内部導体３０，４０における２つの各第三部分３３ａ，４３ａ以外の部分の合計面積よりも小さく設定されている。このため、第三及び第四内部導体３０，４０の２つの各第三部分３３ａ，４３ａにより形成される容量成分の静電容量がより一層小さく、ディファレンシャルモードノイズに対する減衰特性が向上する。
【００５５】
２つの各第一部分１３ａ，２３ａにより形成される容量成分の静電容量及び２つの各第三部分３３ａ，４３ａにより形成される容量成分の静電容量は、上述したように比較的小さいため、積層型電子部品１を通る信号の劣化は生じ難い。
【００５６】
第一素子部分１ａでは、第一及び第二接続部１３，２３がミアンダ形状を呈しており、第一及び第二接続部１３，２３の２つの各第一部分１３ａ，２３ａが積層方向で重なっている。このため、第一及び第二内部導体１０，２０の各インダクタンスがより一層大きくなり、２つの各第一部分１３ａ，２３ａにより形成される容量成分の静電容量がより一層小さくなる。第二素子部分１ｂでは、第三及び第四接続部３３，４３がミアンダ形状を呈しており、第三及び第四接続部３３，４３の２つの各第三部分３３ａ，４３ａが積層方向で重なっている。このため、第三及び第四内部導体３０，４０の各インダクタンスがより一層大きくなり、２つの各第三部分３３ａ，４３ａにより形成される容量成分の静電容量がより一層小さくなる。したがって、各素子部分１ａ，１ｂにおいて、コモンモードノイズの抑制効果を確実に確保できると共に、ディファレンシャルモードノイズに対する減衰特性がより一層向上する。
【００５７】
第一内部導体１０と第二内部導体２０とは、それぞれ一つずつである。これにより、第一素子部分１ａでは、第一及び第二内部導体１０，２０の２つの各第一部分１３ａ，２３ａにより形成される容量成分の比較的小さい静電容量が確実に確保される。第三内部導体３０と第四内部導体４０とも、それぞれ一つずつである。これにより、第二素子部分１ｂでも、第三及び第四内部導体３０，４０の２つの各第三部分３３ａ，４３ａにより形成される容量成分の比較的小さい静電容量が確実に確保される。これらの結果、各素子部分１ａ，１ｂにおいて、コモンモードノイズの抑制効果を確実に確保できると共に、ディファレンシャルモードノイズに対する減衰特性がより一層向上する。
【００５８】
続いて、図４を参照して、第一〜第四内部導体１０，２０，３０，４０の変形例について説明する。図４においても、説明のため、各内部導体１０，２０，３０，４０において誘電体層７の積層方向で重なっている部分にハッチングが付されている。
【００５９】
図４に示された変形例では、各内部導体１０，２０の接続部１３，２３が、３つの第一部分１３ａ，２３ａと４つの第二部分１３ｂ，２３ｂとを含んでいる。各内部導体１０，２０では、第一部分１３ａ，２３ａと第二部分１３ｂ，２３ｂとが交互に連続している。第一内部導体１０と第二内部導体２０とは、２つの各第一部分１３ａ，２３ａのみが誘電体層７の積層方向で重なっている。各内部導体３０，４０の接続部３３，４３が、３つの第三部分３３ａ，４３ａと４つの第四部分３３ｂ，４３ｂとを含んでいる。各内部導体３０，４０では、第三部分３３ａ，４３ａと第四部分３３ｂ，４３ｂとが交互に連続している。第三内部導体３０と第四内部導体４０とは、２つの各第三部分３３ａ，４３ａのみが誘電体層７の積層方向で重なっている。
【００６０】
ここで、本実施形態によって、コモンモードノイズの抑制効果が確保されつつ、ディファレンシャルモードに対する減衰特性が向上されることを、実施例１と比較例１とによって、具体的に示す。実施例１と比較例１とでは、積層型電子部品のコモンモードノイズに対する減衰特性とディファレンシャルモードノイズに対する減衰特性とを測定した。実施例１では、上述した本実施形態に係る積層型電子部品１を用いた。比較例１では、図５に示された、素体２及び第一〜第四内部導体１１０，１２０，１３０，１４０を備えた積層型電子部品を用いた。図５においても、説明のため、各内部導体１１０，１２０，１３０，１４０において誘電体層７の積層方向で重なっている部分にハッチングが付されている。
【００６１】
図５に示された比較例１では、各内部導体１１０，１２０，１３０，１４０は、一対の引出部１１１，１１２，１２１，１２２，１３１，１３２，１４１，１４２と、接続部１１３，１２３，１３３，１４３と、を有している。各接続部１１３，１２３，１３３，１４３は、１つの第一部分１１３ａ，１２３ａ，１３３ａ，１４３ａと２つの第二部分１１３ｂ，１２３ｂ，１３３ｂ，１４３ｂと、を含んでいる。第一部分１１３ａ，１２３ａ，１３３ａ，１４３ａは、内部導体１１０，１２０，１３０，１４０が素体内を貫通する方向に延びている。各第二部分１１３ｂ，１２３ｂ，１３３ｂ，１４３ｂは、内部導体１１０，１２０，１３０，１４０が素体内を貫通する方向と交差する方向に延びている。第一内部導体１１０の接続部１１３の第一部分１１３ａと第二内部導体１２０の接続部１２３の第一部分１２３ａとが、誘電体層７の積層方向で重なっている。第三内部導体１３０の接続部１３３の第一部分１３３ａと第四内部導体１４０の接続部１４３の第一部分１４３ａとが、上記積層方向で重なっている。
【００６２】
比較例１では、各内部導体１１０，１２０，１３０，１４０の長さが、実施例１における各内部導体１０，２０，３０，４０の長さよりも短く設定されている。各内部導体１１０，１２０，１３０，１４０と各内部導体１０，２０，３０，４０との幅は、同等に設定されている。比較例１では、第一内部導体１１０と第二内部導体１２０とにおける上記積層方向に重なっている部分の面積は、実施例１における第一内部導体１０と第二内部導体２０とにおける上記積層方向に重なっている部分の面積よりも大きく設定されている。比較列１における第三内部導体１３０と第四内部導体１４０とにおける上記積層方向に重なっている部分の面積は、実施例１における第三内部導体３０と第四内部導体４０とにおける上記積層方向に重なっている部分の面積よりも大きく設定されている。
【００６３】
実施例１における各内部導体１０，２０，３０，４０のインダクタンスは、比較例１における各内部導体１１０，１２０，１３０，１４０のインダクタンスよりも大きい。実施例１における第一内部導体１０と第二内部導体２０とにおける上記積層方向に重なっている部分により形成される容量成分の静電容量は、比較例１における第一内部導体１１０と第二内部導体１２０とにおける上記積層方向に重なっている部分により形成される容量成分の静電容量よりも小さい。実施例１における第三内部導体３０と第四内部導体４０とにおける上記積層方向に重なっている部分により形成される容量成分の静電容量は、比較例１における第三内部導体１３０と第四内部導体１４０とにおける上記積層方向に重なっている部分により形成される容量成分の静電容量よりも小さい。
【００６４】
測定結果を図６及び図７に示す。図６は、実施例１と比較例１とにおけるコモンモードノイズに対する減衰特性を示す線図である。図７は、実施例１と比較例１とにおけるディファレンシャルモードノイズに対する減衰特性を示す線図である。図６中及び図７中、横軸は周波数（ＭＨｚ）を対数で表示し、縦軸は減衰量（ｄＢ）を線形表示している。実線は実施例１の特性を表し、破線は比較例１の特性を表している。
【００６５】
図６に示されるように、実施例１は、比較例１と同等のコモンモードノイズに対する減衰特性を有している。図７に示されるように、実施例１は、比較例１に比して、ディファレンシャルモードノイズに対する減衰特性が向上している。以上のことから、本実施形態の有効性が確認された。
【００６６】
以上、本発明の好適な実施形態について説明してきたが、本発明は必ずしも上述した実施形態に限定されるものではなく、その要旨を逸脱しない範囲で様々な変更が可能である。
【００６７】
本実施形態では、積層型電子部品１は、第一素子部分１ａと第二素子部分１ｂとを含むアレイ品であるが、これに限られることなく、第一素子部分１ａと第二素子部分１ｂとのうちいずれか一方のみを含む積層型電子部品であってもよい。
【００６８】
本実施形態では、第一内部導体１０と第二内部導体２０とは、２つの各第一部分１３ａ，２３ａのみが誘電体層７の積層方向で重なっているが、これに限られない。たとえば、１つの各第一部分１３ａ，２３ａのみが誘電体層７の積層方向で重なっていてもよく、また、いずれかの第二部分１３ｂ，２３ｂが誘電体層７の積層方向で重なっていてもよい。第一内部導体１０と第二内部導体２０とにおける上記積層方向に重なっている部分の面積が、第一内部導体１０と第二内部導体２０とにおける上記積層方向に重なっていない部分の面積よりも小さく設定されていればよい。同様に、第三内部導体３０と第四内部導体４０とは、２つの各第三部分３３ａ，４３ａのみが誘電体層７の積層方向で重なっているが、これに限られない。たとえば、１つの各第三部分３３ａ，４３ａのみが誘電体層７の積層方向で重なっていてもよく、いずれかの第四部分３３ｂ，４３ｂが誘電体層７の積層方向で重なっていてもよい。第三内部導体３０と第四内部導体４０とにおける上記積層方向に重なっている部分の面積が、第三内部導体３０と第四内部導体４０とにおける上記積層方向に重なっていない部分の面積よりも小さく設定されていればよい。
【００６９】
本実施形態では、第一接続部１３と第二接続部２３との幅が同じに設定されているが、これに限られない。たとえば、第一接続部１３の幅が第二接続部２３の幅よりも狭くてもよく、また、第二接続部２３の幅が第一接続部１３の幅よりも狭くてもよい。同様に、第三接続部３３と第四接続部４３との幅が同じに設定されているが、これに限られない。たとえば、第三接続部３３の幅が第四接続部４３の幅よりも狭くてもよく、また、第四接続部４３の幅が第三接続部３３の幅よりも狭くてもよい。いずれの場合でも、形成される容量成分の静電容量を微調整できる。
【符号の説明】
【００７０】
１…積層型電子部品、２…素体、３ａ…第一入力端子電極、３ｂ…第二入力端子電極、３ｃ…第三入力端子電極、３ｄ…第四入力端子電極、４ａ…第一出力端子電極、４ｂ…第二出力端子電極、４ｃ…第三出力端子電極、４ｄ…第四出力端子電極、７…誘電体層、１０…第一内部導体、１１…第一引出部、１２…第二引出部、１３…第一接続部、１３ａ…第一部分、１３ｂ…第二部分、２０…第二内部導体、２１…第三引出部、２２…第四引出部、２３…第二接続部、２３ａ…第一部分、２３ｂ…第二部分、３０…第三内部導体、３１…第五引出部、３２…第六引出部、３３…第三接続部、３３ａ…第三部分、３３ｂ…第四部分、４０…第四内部導体、４１…第七引出部、４２…第八引出部、４３…第四接続部、４３ａ…第三部分、４３ｂ…第四部分。
【図１】
0005966424.tif 000002
【図２】
0005966424.tif 000003
【図３】
0005966424.tif 000004
【図４】
0005966424.tif 000005
【図５】
0005966424.tif 000006
【図６】
0005966424.tif 000007
【図７】
0005966424.tif 000008